(57)【要約】【課題】放射性廃棄物を密封して輸送・保管するための、製造が容易なコンテナを提供する。【解決手段】放射性廃棄物を密封して輸送・保管するコンテナであって、収容部と、収容部を開放可能な扉部又は蓋部とを備え、収容部、扉部及び蓋部は、鉛を含む第１層と、鋼材を含む第２層と、第１層と第２層を接着する結合層と、コルゲート鋼板又はリブ構造を備えた鋼板からなる外壁と、を有する積層体によって形成される。【選択図】図１
0003177263.tif 000002
【実用新案登録請求の範囲】
【請求項１】
上壁部と、床部と、側壁部と、前記側壁部の横手方向側の片面に設けられた開口と、を有する略直方体の収容部と、
前記開口を閉塞可能に設けられた扉部と、
を備えた放射性廃棄物を密封して輸送・保管するコンテナであって、
前記上壁部と、前記側壁部と、前記扉部とは、
鉛を含む第１層と、
前記第１層の一方の面に接合し、鋼材を含む第２層と、
前記第１層の他方の面に接合し、鋼材を含む第３層と、
コルゲート鋼板又はリブ構造を備えた鋼板からなる外壁と、
を有する第１の積層体によって形成されるコンテナ。
【請求項２】
前記床部は、
鉛を含む第４層と、
前記第４層の一方の面に接合し、鋼材を含む第５層と、
前記第４層の他方の面に接合し、合板である第６層と、
を有する第２の積層体によって形成される請求項１に記載のコンテナ。
【請求項３】
前記第１の積層体は、前記第１層が３ｍｍ、前記第２層が１ｍｍ、前記第３層が１ｍｍの厚さを有する請求項１又は２に記載のコンテナ。
【請求項４】
前記第２の積層体は、前記第４層が３ｍｍ、前記第５層が１ｍｍ、前記第６層が２０ｍｍの厚さを有する請求項２又は３に記載のコンテナ。
【請求項５】
方形の開口を備えた上壁部と、床部と、側壁部と、を有する略直方体の収容部と、
上面視にて前記上壁部の面積を超えない面積に形成され、前記開口を閉塞可能に設けられた蓋部と、
を備えた放射性廃棄物を密封して輸送・保管するコンテナであって、
前記上壁部と、前記側壁部と、前記蓋部とは、
鉛を含む第１層と、
前記第１層の一方の面に接合し、鋼材を含む第２層と、
前記第１層の他方の面に接合し、鋼材を含む第３層と、
コルゲート鋼板又はリブ構造を備えた鋼板からなる外壁と、
を有する第１の積層体によって形成されるコンテナ。
【請求項６】
前記床部は、
鉛を含む第４層と、
前記第４層の一方の面に接合し、鋼材を含む第５層と、
前記第４層の他方の面に接合し、合板である第６層と、
を有する第２の積層体によって形成される請求項５に記載のコンテナ。
【請求項７】
前記第１の積層体は、前記第１層が３ｍｍ、前記第２層が１ｍｍ、前記第３層が１ｍｍの厚さを有する請求項５又は６に記載のコンテナ。
【請求項８】
前記第２の積層体は、前記第４層が３ｍｍ、前記第５層が１ｍｍ、前記第６層が２０ｍｍの厚さを有する請求項６又は７に記載のコンテナ。
【請求項９】
前記収容部は、前記上壁部の前記開口の縁部において上向きに突出した収容部側突出部が周設され、
前記蓋部は、
外縁に下向きに突出した第１の蓋部側突出部と、
前記第１の蓋部側突出部より内側に下向きに突出した第２の蓋部側突出部と、
前記第１の蓋部側突出部と前記第２の蓋部側突出部の間に設けられた平面部と、
が周設され、
前記収容部側突出部が前記平面部に当接されることによって、前記収容部は前記蓋部によって閉塞される
請求項５乃至８の何れか１項に記載のコンテナ。
【請求項１０】
前記収容部は、前記上壁部と、対向する１組の前記側壁部との接合辺の略全長に渡って第１の補強部材が配設され、
前記収容部は、前記第１の補強部材が前記収容部の上面及び側面において略面一となるように配設される第１の凹部を備え、
前記蓋部は、前記第２の蓋部側突出部の内側に第２の補強部材が周設され、
前記蓋部は、前記第２の補強部材が前記蓋部の上面において略面一となるように周設される第２の凹部を備える
請求項９に記載のコンテナ。
【考案の詳細な説明】
【技術分野】
【０００１】
本考案はコンテナに関する。特に、放射性廃棄物を収納するコンテナに関する。
【背景技術】
【０００２】
放射性廃棄物の収納容器に関する技術について、特許文献１には、放射性廃棄物処分容器、放射性廃棄物処分容器の製造方法及び放射性廃棄物処分容器の製造装置が記載されている。
特許文献２には、放射性廃棄物の地層処分容器が記載されている。
特許文献３には、放射性廃棄物の輸送保管容器が記載されている。
【先行技術文献】
【特許文献】
【０００３】
【特許文献１】特開２００９−２９５０５５号公報
【特許文献２】特開２００１−４０６２２号公報
【特許文献３】特開２００５−４１５８０３号公報
【考案の概要】
【考案が解決しようとする課題】
【０００４】
平成２３年３月１１日に発生した東日本大震災によって多くの建物や樹木が倒壊し、膨大な量の瓦礫をうんだ。これらの瓦礫は、続く福島第一原発の事故によって被爆し、その処理がさらに困難となっている。被災から１年余の本考案の出願時において、岩手県で４７６万トン、宮城県で１５６９万トンの廃棄物が未処理のまま放置されている。この量は宮城県の一般廃棄物の１９年分、岩手県でも１１年分に相当するといわれている。
【０００５】
上述の先行技術は、いずれも平成２３年３月１１日以前に発明されたものであり、大量の放射性廃棄物を処理することは想定されていない。いずれの文献も、排出量が予測可能な放射性廃棄物の処理には適しているものの、突発的に大量に発生した瓦礫には対応できない。
【０００６】
一方、これらの放射性廃棄物は表面が汚染されているだけで危険性は低い。したがって、収納容器に要求される安全基準も低いので、できるだけ簡易かつ廉価で大量生産でき、収容作業の簡単な容器を提供することが急務となっている。
また、その他の放射性の物質を収納する容器を提供することも急務になっている。ここで、その他の放射性の物質とは、例えば、放射線の中、又は、放射能を有する物質が存在する空間内で作業する作業員の作業服、フレキシブルコンテナバッグ等であってよい。
【０００７】
これらの実情に鑑み、本考案は、放射性廃棄物を密封して輸送・保管するための、製造が容易なコンテナを提供することを課題とする。
【課題を解決するための手段】
【０００８】
課題を解決するため、第１の考案は、上壁部と、床部と、側壁部と、前記側壁部の横手方向側の片面に設けられた開口と、を有する略直方体の収容部と、前記開口を閉塞可能に設けられた扉部と、を備えた放射性廃棄物を密封して輸送・保管するコンテナであって、前記上壁部と、前記側壁部と、前記扉部とは、鉛を含む第１層と、前記第１層の一方の面に接合し、鋼材を含む第２層と、前記第１層の他方の面に接合し、鋼材を含む第３層と、コルゲート鋼板又はリブ構造を備えた鋼板からなる外壁と、を有する第１の積層体によって形成される。
【０００９】
第２の考案は、さらに、前記床部が、鉛を含む第４層と、前記第４層の一方の面に接合し、鋼材を含む第５層と、前記第４層の他方の面に接合し、合板である第６層と、を有する第２の積層体によって形成される第１の考案のコンテナである。
【００１０】
第３の考案は、さらに、前記第１の積層体が、前記第１層が３ｍｍ、前記第２層が１ｍｍ、前記第３層が１ｍｍの厚さを有する第１又は第２の考案のコンテナである。
【００１１】
第４の考案は、さらに、前記第２の積層体が、前記第４層が３ｍｍ、前記第５層が１ｍｍ、前記第６層が２０ｍｍの厚さを有する第２又は第３の考案のコンテナである。
【００１２】
第５の考案は、方形の開口を備えた上壁部と、床部と、側壁部と、を有する略直方体の収容部と、上面視にて前記上壁部の面積を超えない面積に形成され、前記開口を閉塞可能に設けられた蓋部と、を備えた放射性廃棄物を密封して輸送・保管するコンテナであって、前記上壁部と、前記側壁部と、前記蓋部とは、鉛を含む第１層と、前記第１層の一方の面に接合し、鋼材を含む第２層と、前記第１層の他方の面に接合し、鋼材を含む第３層と、コルゲート鋼板又はリブ構造を備えた鋼板からなる外壁と、を有する第１の積層体によって形成される。
【００１３】
第６の考案は、さらに、前記床部が、鉛を含む第４層と、前記第４層の一方の面に接合し、鋼材を含む第５層と、前記第４層の他方の面に接合し、合板である第６層と、を有する第２の積層体によって形成される第５の考案のコンテナである。
【００１４】
第７の考案は、さらに、前記第１の積層体が、前記第１層が３ｍｍ、前記第２層が１ｍｍ、前記第３層が１ｍｍの厚さを有する第５又は第６の考案のコンテナである。
【００１５】
第８の考案は、さらに、前記第２の積層体が、前記第４層が３ｍｍ、前記第５層が１ｍｍ、前記第６層が２０ｍｍの厚さを有する第６又は第７の考案のコンテナである。
【００１６】
第９の考案は、さらに、前記収容部が、前記上壁部の前記開口の縁部において上向きに突出した収容部側突出部が周設され、前記蓋部は、外縁に下向きに突出した第１の蓋部側突出部と、前記第１の蓋部側突出部より内側に下向きに突出した第２の蓋部側突出部と、前記第１の蓋部側突出部と前記第２の蓋部側突出部の間に設けられた平面部と、が周設され、前記収容部側突出部が前記平面部に当接されることによって、前記収容部は前記蓋部によって閉塞される第５乃至８の何れかの考案のコンテナである。
【００１７】
第１０の考案は、さらに、前記収容部が、前記上壁部と、対向する１組の前記側壁部との接合辺の略全長に渡って第１の補強部材が配設され、前記収容部は、前記第１の補強部材が前記収容部の上面及び側面において略面一となるように配設される第１の凹部を備え、前記蓋部は、前記第２の蓋部側突出部の内側に第２の補強部材が周設され、前記蓋部は、前記第２の補強部材が前記蓋部の上面において略面一となるように周設される第２の凹部を備える第９の考案のコンテナである。
【考案の効果】
【００１８】
本考案によれば、調達が容易で廉価な材料を用いることができるので、より迅速に大量生産可能なコンテナを提供することができる。また、鉛を含む層を設けたので、放射能の遮蔽効果を確保できる。
また、開口を側面に設けたことによって、放射性廃棄物を収容する際にクレーン等の設備が不要である。また、搬出入作業に従事する作業員の負担が軽減される。
また、開口を上面に設けたことによって、作業員がじかに放射性廃棄物に触れることなく、コンテナを開閉し、放射性廃棄物を収容して確実に密閉することができる。
【図面の簡単な説明】
【００１９】
【図１】本考案の第１実施形態に係るコンテナの断面説明図である。
【図２】図１のコンテナの外観を示す説明図である。
【図３】第１の積層体及び第２の積層体の説明図である。
【図４】本考案の第２実施形態に係るコンテナの断面説明図である。
【考案を実施するための形態】
【００２０】
＜第１実施形態＞
図１は、本考案の実施形態に係るコンテナ１の断面説明図である。図１（ａ）はコンテナ１の長手方向の断面説明図であり、図１（ｂ）は、図１（ａ）と直交する横手方向の断面説明図である。
【００２１】
コンテナ１は、上壁部２ａと、床部２ｄと、対向する２組の側壁部２ｂ，２ｃと、側壁部の横手方向側の片面（片妻面）、すなわち側壁部２ｃの片面に設けられた開口（図示なし）と、を有する略直方体の収容部２と、前記開口を閉塞可能に設けられた扉部３（図２参照）とを備える。
【００２２】
コンテナ１は、すみ部と稜部に沿って一体的に設けられた外枠４１を備える。外枠４１は、略直方体のフレーム構造であり、８つのすみ金具４２と、２本の上はり４３と、２本の下はり４４と、２本の上けた４５と、２本の下けた４６と、４本のすみ柱４７を有する。
【００２３】
すみ金具４２は、コンテナ１の荷役、積重ね、緊締及び固縛のためにコンテナ１のすみ部に設けた内実または中空の角型部材である。すみ金具４２には、コンテナ１を輸送用機器等に取り付けるための取付構造を４２ａ備える。この取付構造４２ａは、ツイストロック、フック、シャックル等、従来の部材として実施することができる。
【００２４】
上はり４３は、上部のすみ金具４２を横手方向で結合している、角材又は板材からなる部材である。扉部３が設けられた面の上はり４３には、扉部３に緊締具８０の封止部８０ａを取り付けるための取付具４３ａ（図２参照）が設けられる。本実施形態では、扉部３の中央の開放位置より等間隔に所定距離離間して２つの取付具４３ａ，４３ｂが設けられる。
【００２５】
下はり４４は、下部のすみ金具４２を横手方向で結合している、角材又は板材からなる部材である。扉部３が設けられた面の下はり４４には、扉部３に緊締具８０の封止部８０ａ取り付けるための取付具４４ａ（図２参照）が設けられる。本実施形態では、扉部３の中央の開放位置より等間隔に所定距離離間して２つの取付具４４ａ，４４ｂが設けられ、対向する取付具４３ａ，４３ｂとの間に封止部８０ａが取り付けられる。
コンテナ１の下面にトンネルリセス等を設ける場合は、下はり４４又は下けた４６に所定形状の下向きに開口した凹部（図示なし）を設ける。
【００２６】
上けた４５は、上部のすみ金具４２を長手方向で結合している、角材又は板材からなる部材である。
下けた４６は、下部のすみ金具４２を長手方向で結合している、角材又は板材からなる部材である。また、下けた４６は、フォークリフトのフォークの幅に対応する所定間隔離間して配置されたフォークポケット１５を備える。
【００２７】
すみ柱４７は、上部と下部のすみ金具４２を結合し、コンテナ１の４すみにある垂直の角材又は横手断面Ｌ字形状の板部材である。
なお、荷役機器の誤動作及びはめ違い等に起因してコンテナが損傷するのを防止するために、たとえば上はり４３に沿って、上部すみ金具に近接してダブラープレート等の補強板部材を設けてもよい。
【００２８】
図２は、図１のコンテナ１の外観を示す説明図である。図２（ａ）は側壁部２ｂを、図２（ｂ）は扉部３を取り付けた側壁部２ｃを、図２（ｃ）は、図面上半分が床部２ｄを、図面下半分が上壁部２ａを示す。
【００２９】
図２（ａ）に示すように、長手方向の側面である側壁部２ｂは、上けた４５と、下けた４６と、すみ柱４７とで外周を補強され、さらに外壁５４（後述）は、コルゲート等の形状による補強加工が施されている。図示されていないが、内壁面はリブ構造を備えることによってさらに強度を確保することができる。このコルゲート形状の外壁５４は、コンテナ１を構成する、床部２ｄ以外の全ての面の外壁に用いられる。
【００３０】
図２（ｂ）に示すように、扉部３は、側壁部２ｃに両開き可能に取り付け固定された左右一対の扉部３ａ，３ｂと、取手３ｃと、を備える。取手３ｃは、扉部３ｂの開放側端部の中央付近に取付けられる。扉部３を開くときは、まず取手３ｃを用いて扉部３ｂを開放し、その後、扉部３ａを開放する。閉塞するときはその逆の手順で閉塞する。
【００３１】
扉部３の端部には、コンテナ１を上下に緊締するための緊締具８０が設けられている。コンテナ１が閉鎖状態となった後、この緊締具８０を収容部２に係止することによってコンテナ１は完全に密閉させることができる。本実施形態では、緊締具８０は封止部８０ａと操作部８０ｂとして実施される。封止部８０ａの上端を上はり４３に設けられた取付具４３ａ結合し、操作部８０ｂを介して、下端を下はり４４に設けられた取付具４４ａ、と結合する。作業者が操作部８０ｂを操作することによって封止部８０ａが緊締され、コンテナ１が密閉される。なお、左右の操作部８０ｂを逆向きに設置することによって、作業に必要な動線を短縮することができる。
【００３２】
図２（ｃ）に示すように、床部２ｄは、後述する第２の積層体６０１で構成され、特に積載重量に耐えうる強度を備えている。また、上壁部２ａは、コルゲート形状により強度を備えている。
【００３３】
図３は、第１の積層体５０１及び第２の積層体６０１の説明図である。図３（ａ）は、上壁部２ａ及び側壁部２ｂを形成する第１の積層体５０１である。図３（ｂ）は、床部２ｄを形成する第２の積層体６０１である。
【００３４】
第１の積層体５０１は鉛を含む第１層５１と、鋼材を含む第２層５２と、前記第１層の他方の面に接合し、鋼材を含む第３層５３と、コルゲート鋼板又はリブ構造を備えた鋼板からなる外壁５４と、を有する第１の積層体５０１から形成される。
【００３５】
第１層５１は、鉛を含む板材からなる。鉛は、放射性能の遮蔽効果と材料コストの観点において、本考案のコンテナ１の材料として好適である。本考案のコンテナ１に収容することが予定されている放射性廃棄物は、削り取った土壌表面や、表面のみ被爆した瓦礫等であるため、第１層５１は、３ｍｍ程度の厚みでよい。
【００３６】
第２層５２は、第１層５１の一方の面５６に接合し、鋼材を含む板材からなり、その厚さは約１ｍｍにて実施される。
第３層５３は、第１層の他方の面５５に接合し、鋼材を含む板材からなり、その厚さは約１ｍｍにて実施される。第１層５１の硬度が低いため、第２層５２を設けることによって硬度を確保することができる。その際、第２層５２の厚さは約１ｍｍ程度でよい。また、第３層５３の厚さを約１ｍｍ程度とすることによって、上壁部２ａ及び側壁部２ｂ，２ｃの硬度を確保することができる。
【００３７】
さらに、第１の積層体５０１の最外層として、鋼材からなる外壁５４が設けられる。外壁５４には、コルゲート鋼板又はリブ構造を備えた鋼板を用いる。この外壁５４によって、上壁部２ａ及び側壁部２ｂ，２ｃの強度を確保することができる。
【００３８】
さらに、第１層５１〜第３層５３までの各層の接合面に、結合層５７，５８（図示なし）を設けてもよい。隣り合う各層は、素材が異なることから、直接接合することが難しく、たとえ接合しても分離しやすい。したがって、各層の間に合板の層を挟み、合板と各層とを接着剤等により接着することにより、各層が剥がれにくくすることができる。
【００３９】
図３（ｂ）は、床部２ｄを形成する第２の積層体６０１である。床部２ｄは、鉛を含む第４層６１と、第４層６１の一方の面に接合し、鋼材を含む第５層６２と、前記第４層６１の他方の面に接合し、合板である第６層６３と、を有する第２の積層体６０１によって形成される。
【００４０】
第２の積層体６０１において、第４層６１及び第５層６２の構成は、第１の積層体５０１における第１層５１及び第２層５２の構成と同一でよい。つまり、この２層のみによって、放射性廃棄物を密封し、放射漏れを防止可能なコンテナを製造できるので、製造費用も安価ですみ、材料も入手しやすいことから大量生産が可能である。
【００４１】
第２の積層体６０１では、さらに第６層６３が２０ｍｍ程度の合板にて設けられる。この第６層によって、収容部２に収容される放射性廃棄物の重量に対する強度を確保することができる。
なお、第６層６３は、上述のように第２の積層体６０１の一部として構成してもよいが、収容部２と外枠４１の間の構成部材として挟みこんでもよい。
【００４２】
＜第２実施形態＞
図４は、本考案の第２の実施形態に係るコンテナ１０１の断面説明図である。図１（ａ）はコンテナ１０１の長手方向の断面説明図であり、図１（ｂ）は、図１（ａ）と直交する横手方向の断面説明図である。また、図１（ｃ）は図１（ａ）の部分拡大図である。
【００４３】
コンテナ１０１は、収容部１０２と、廃棄物を収容した後に収容部１０２を閉塞する蓋部１０３とを備える。収容部１０２は、対向する２組の側壁部（長手方向側の側壁部１０２ｂ及び横手方向側の側壁部１０２ｃ）、床部１０２ｄ、上壁部１０２ａを有する略直方体に形成される。上壁部１０２ａに方形の開口１０２ｈが形成される。蓋部１０３は、上面視にて上壁部１０２ａの面積を超えない面積に形成され、開口１０２ｈを閉塞可能に設けられる。
【００４４】
収容部１０２の上壁部１０２ａには、コンテナ１０１を補強するための中空又は内実の第１の補強部材１２が設けられている。第１の補強部材１２は、収容部１０２の上壁部１０２ａと側壁部１０２ｂとの接合辺の略全長にわたって配設されている。第１の補強部材１２を配設したときに、第１の補強部材１２の上面と収容部１０２の上壁部１０２ａが面一となるように、上壁部１０２ａと側壁部１０２ｂとの接合箇所に、コンテナ１０１の外側に開口した断面Ｌ字形状の第１の凹部１０２ｇを備えている。
【００４５】
上壁部１０２ａの開口１０２ｈの縁部には、上向きに突出した収容部側突出部１０２ｆが周設されている。
【００４６】
蓋部１０３は、収容部１０２の上壁部１０２ａの上面視の面積を超えない面積に形成され、形状は略方形である。蓋部１０３は外縁に下向きに突出した第１の蓋部側突出部１０３ｂと、第１の蓋部側突出部１０３ｂより下向きに突出した第２の蓋部側突出部１０３ｃと、第１の蓋部側突出部１０３ｂと第２の蓋部側突出部１０３ｃの間に平面部１０３ｄとが周設されている。
【００４７】
コンテナ１０１に瓦礫等を収容した後、コンテナ１０１は、蓋部１０３を収容部１０２に近接させ、収容部側突出部１０２ｆが平面部１０３ｄに当接されることによって、収容部１０２は蓋部１０３によって閉塞される。収容部側突出部２ｆを保護し、より高い密閉性を確保するために、平面部１０３ｄに弾性部材等を設けてもよい。
【００４８】
さらに、第２の蓋部側突出部１０３ｃの内側には、蓋部１０３を補強するための第２の補強部材１３が蓋部１０３を囲うように上面視略ロ字形状に設けられている。蓋部１０３は、第２の補強部材１３を配設したときに、第２の補強部材１３の上面と上面部１０３ａが面一となるように、下方に向かって第２の凹部１０３ｆを備えている。
【００４９】
コンテナ１０１は、さらに外枠１４１を備える。外枠１４１は、４つの上部すみ金具１４２ａと、４つの下部すみ金具１４２ｂと、２本の上はり１４３（図示なし）と、２本の下はり１４４と、２本の上けた１４５（図示なし）と、２本の下けた１４６と、４本のすみ柱１４７を有する。
【００５０】
４つの上部すみ金具１４２ａは、内部空間側、すなわちコンテナ１０１側に開口した凹部を備え、この凹部に収容部１０２の上壁部１０２ａ上の四隅に設けられた保護部材２１が嵌合されることによって、コンテナ１０１の上面及び側面上側においてコンテナ１０１と係合する。４つの下部すみ金具１４２ｂは、第１の実施形態と同様に実施される。
【００５１】
また、上部すみ金具１４２ａの高さは、蓋部１０３の高さより高く形成することによって、外枠１４１を嵌め合わせた状態でコンテナ１０１を複数積重ねたときに、蓋部１０３を保護することができる。
【００５２】
さらに、コンテナ１０１を積み重ねたときに上下のコンテナ１０１が安定するように、上部すみ金具１４２ａの上面と下部すみ金具の１４２ｂの下面に対応する一対の係合部材を設けてもよい。
【００５３】
なお、第２実施形態について、上述に説明した点以外は第１実施形態と同一であるので、説明を省略する。
【符号の説明】
【００５４】
１    コンテナ
２    収容部
２ａ  上壁部
２ｂ，２ｃ  側壁部
２ｄ  床部
３    扉部
１５    フォークポケット
４１，１４１    外枠
４２，１４２    すみ金具
４４，１４４    はり
４５，１４５    上けた
４６，１４６    下けた
４７，１４７    すみ柱
５１    第１層
５２    第２層
５３    第３層
５４    外壁
６１    第４層
６２    第５層
６３    第６層
８０    緊締具
８０ａ  封止部
８０ｂ  操作部
１０３  蓋部
５０１  第１の積層体
６０１  第２の積層体
【図１】
0003177263.tif 000003
【図２】
0003177263.tif 000004
【図３】
0003177263.tif 000005
【図４】
0003177263.tif 000006